(57)【要約】  【課題】より廉価に製作することができ、且つ設置も容易な太陽光熱水器を提供する。  【解決手段】内部が真空に保持された透明管１と、該透明管１内にその長さ方向に沿って延在するように設置されていて横断面形状が放物線をなす放物面鏡２と、該放物面鏡２の焦点線近傍に該焦点線に沿って延在するように前記透明管１内に設置された導水管８とを備えている。  【選択図】図４
0003102423.tif 000002
【実用新案登録請求の範囲】
【請求項１】
内部が真空に保持された透明管と、該透明管内にその長さ方向に沿って延在するように設置されていて横断面形状が放物線をなす放物面鏡と、該放物面鏡の焦点線近傍に該焦点線に沿って延在するように前記透明管内に設置された導水管とを備えた太陽光熱水器。
【請求項２】
前記放物面鏡は樋状をなしていて鏡面が鏡面研磨処理されたステンレス鋼板よりなり、前記透明管は円筒状のガラス管であり、前記導水管は外周面が黒染め処理された銅管である請求項１に記載の太陽光熱水器。
【請求項３】
樋状の前記放物面鏡は、外面頂部が前記ガラス管の内面に接触せず、また、両側端縁も前記ガラス管の直径の両端位置近傍で前記ガラス管の内面に接触しないように設置されている請求項２に記載の太陽光熱水器。
【考案の詳細な説明】
【技術分野】
【０００１】
本考案は、太陽光の赤外線を効率的に集めて熱水をつくる太陽光熱水器に関する。
【背景技術】
【０００２】
太陽熱温水器は、従来より種々の構造のものが提案され市販されているが、概して、大型で且つ高価であるのみならず、真夏に７０℃〜８０℃程度の温水が最高温度という難点があった。そこで、従来、比較的小型且つ廉価で設置の容易な太陽光熱水器用集熱器として、全体が逆円錐形状をなしていて、受光面（前面）がレンズとして構成され、内部に回転放物反射鏡面を有する反射体と該反射体のほぼ焦点位置に集熱体を配設して、その集熱体に水道水等を接触させて熱水を得るようにしたものが提案されている（例えば、特許文献１及び２参照）。
【特許文献１】実開昭５０−１２７０３６号公報
【特許文献２】特公昭６２−１０３４０号公報
【考案の開示】
【考案が解決しようとする課題】
【０００３】
ところで、上記従来の集熱器は、全体が逆円錐形状をなしている上に内部に回転放物反射鏡面を設ける必要があるため、予想以上に製作コストが嵩み、その上器内を真空にするため器外からの僅かな力で容易に破壊されてしまうという難点があった。即ち、全体が逆円錐形状をなしているため、内部を真空にすると外気圧に耐えられないという問題点があった。
【０００４】
本考案は、上記の如き従来装置の問題点に鑑みてなされたものであり、その目的とするところは、より廉価に製作することができ、且つ設置も容易な太陽光熱水器を提供することにある。
【０００５】
上記の目的を達成するため、本考案による太陽光熱水器は、内部が真空に保持された透明管と、該透明管内にその長さ方向に沿って延在するように設置されていて横断面形状が放物線をなす放物面鏡と、該放物面鏡の焦点線近傍に該焦点線に沿って延在するように前記透明管内に設置された導水管とを備えている。
【０００６】
本考案によれば、前記放物面鏡は樋状をなしていて鏡面が鏡面研磨処理されたステンレス鋼板よりなり、前記透明管は円筒状のガラス管であり、前記導水管は外周面が黒染め処理された銅管である。
【０００７】
また、本考案によれば、樋状の前記放物面鏡は、外面頂部が前記ガラス管の内面に接触せず、また、その両側端縁も前記ガラス管の直径の両端位置近傍で前記ガラス管の内面に接触しないように設置されている。
【考案の効果】
【０００８】
本考案によれば、構成部品の製作が極めて容易であるばかりでなく、組み立ても簡単であり、据え付け及び部品の交換等も簡単に行なうことができ、長期間の使用に耐え得る太陽光熱水器を、より廉価に提供することができる。
【考案を実施するための最良の形態】
【０００９】
以下、本考案の実施の形態を図示した実施例に基づき説明する。図１は本考案による太陽光熱水器の一部を破断して示す側面図、図２は図１の左側面図、図３は図１のIII-III線に沿う断面図、図４は両端板を除去して示す本案太陽光熱水器の斜視図である。
【００１０】
図中、１は透明な耐熱ガラス等よりなる円筒管、２は横断面の形状が放物線をなすように成形されていて（図３参照）実質上円筒管１の全長に亘って延びたステンレス鋼板の鏡面研磨等により鏡面に仕上げられている樋状をなす放物面鏡、３，４は適宜の封止体を介して円筒管１の両端を気密的に閉鎖するための側板、５は側板３，４間に挿通された四本のボルト、６は側板３，４を円筒管閉鎖位置に固定するためのナット、７はボルト５の鍔と側板３との間に介置されたコイルばね、８は封止体９を介して円筒管１内に放物面鏡２の焦点線（放物線の焦点を連ねる線）上またはその近傍に位置するように気密的に挿通されていて外周面が黒染め処理された銅パイプ等よりなる導水管、１０は側板３に気密的に取り付けられた円筒管１内を真空状態にするための吸気管である。
【００１１】
組み立てに際し、放物面鏡２は、図３に明示した如く、その外面頂部が円筒管１の内面に接触することのないように側板３，４に設けられた抑え片３ａ，４ａにより内側から抑止され、両側端縁２ａ，２ｂが円筒管１の内径の両端位置近傍において側板３，４に設けられたピン３ｂ，４ｂ（図３に４ｂのみが図示されている）に円筒管１の内面に接触することのないように固定され、更に、少なくとも一方の放物線状端縁から好ましくは対称的に突出せしめられた複数の取り付け片２ｃ（図３及び４参照）を側板にネジ止めすることにより、取り付けられる。また、吸気管１０は図示しない真空ポンプに接続されて円筒管１内を真空状態にした後封止される。なお、円筒管１は、ガラス管に限定されずに耐熱合成樹脂管であっても良く、また、横断面が多角形をなす筒管により置換されても良い。また、導水管８は銅パイプに限定されない。
【００１２】
本考案による太陽光熱水器は、上記のように構成されているから、構成部品の製作が極めて容易であるばかりでなく、組み立ても簡単であり、据え付け及び部品の交換等も簡単に行なうことができる。
【００１３】
使用に際しては、図示しないが例えば特許文献２に開示されている如き制御装置を用いて、放物面鏡２が太陽を追尾するように熱水器を動かせば、一日の内の長時間に亘り、導水管８に通された水等の熱媒体は、円筒管１内で熱せられて高温となり、必要個所へ供給可能となる。得られる熱水の温度は、導水管８に通される水の流量により調節することができる。使用中、放物面鏡が極めて高温になっても、ガラス管は筒状であり且つ放物面鏡はガラス管の内面に接触していないから、ガラス管が破壊するようなことはない。
【図面の簡単な説明】
【００１４】
【図１】本考案による太陽光熱水器の一部を破断して示す側面図である。
【図２】図１の左側面図である。
【図３】図１のIII-III線に沿う断面図である。
【図４】両側板を除去して示す本案太陽光熱水器の斜視図である。
【符号の説明】
【００１５】
１                          円筒体
２                          放物面鏡
２ａ，２ｂ                  側端縁
２ｃ                        取り付け片
３，４                      側板
４ａ                        抑え片
４ｂ                        ピン
５                          ボルト
６                          ナット
７                          コイルばね
８                          導水管
９                          封止体
１０                        吸気管
【図１】
0003102423.tif 000003
【図２】
0003102423.tif 000004
【図３】
0003102423.tif 000005
【図４】
0003102423.tif 000006